(57)【要約】【課題】自動販売機に空容器収納領域を設け、収納する空容器からの流出物の付着や臭い漏れを防ぎ、さらに当該空容器収納領域以外の空間を自動販売機として有効利用する。【解決手段】外部から空容器を投入する空容器投入口２３を蓋部２８によって閉鎖して収納箱２１の内部からの臭い漏れを防ぐ。収納箱２１の空容器取出口２１ａはクッション材を介して副扉体２２で密閉してさらに臭い漏れを防ぐ。袋係止部２４は、収納箱２１内において収納袋の開口部を空容器投入口２３の位置に合わせて配置して空容器投入口２３と収納袋の開口部とを連通する。これにより空容器投入口２３からの空容器が直接収納袋内に投入されるので収納箱内への流出物の付着を防ぐ。また、収納箱２１の上方にはショートラック５ｄを設けて商品収納領域２とし、空容器収納領域２０以外の空間を自動販売機として有効利用する。【選択図】      図２
2004310300.tif 000002
【特許請求の範囲】
【請求項１】
自動販売機本体の内部に設けた空容器収納領域と、
前記空容器収納領域と前記自動販売機本体の外部とに通じて空容器を挿通する空容器投入口と、
前記空容器投入口を前記空容器収納領域側から開閉可能にしつつ当該空容器投入口を閉鎖する態様で付勢した蓋部と、
前記空容器収納領域内において前記空容器を収納する収納袋の開口部を前記空容器投入口の位置に合わせて配置する袋係止部と、を備えたことを特徴とする自動販売機。
【請求項２】
前記空容器収納領域の外形をなす箱体の一部を開口して前記自動販売機本体の外部に通じてなり前記空容器収納領域にある前記空容器を取り出す空容器取出口と、
前記自動販売機本体の内部に設けた商品収納領域を開閉する主扉体とは独立して前記空容器取出口を開閉する副扉体と、
前記空容器取出口の全開口縁と当該全開口縁に重なる前記副扉体との間に介在した弾性部材と、を備えたことを特徴とする請求項１に記載の自動販売機。
【請求項３】
前記収納袋の底部を支持するトレイと、
前記空容器収納領域の底部で前記トレイを載置するとともに当該トレイの載置高さを可変するトレイ受部と、を備えたことを特徴とする請求項１または２に記載の自動販売機。
【請求項４】
前記自動販売機本体の内部であって前記空容器収納領域の上下方向の空間に商品収容部を設けて商品収納領域としたことを特徴とする請求項１〜３のいずれか一つに記載の自動販売機。
【発明の詳細な説明】
【０００１】
【発明の属する技術分野】
本発明は、空容器収納部を備えた自動販売機に関するものである。
【０００２】
【従来の技術】
例えば缶、ペットボトル、瓶などの容器入り商品を販売する自動販売機において、空容器の不法投棄による環境問題を改善するために当該空容器を回収する提案がある。
【０００３】
従来、この種の提案では、自動販売機の上部に容器を収納する収納部を設け、当該自動販売機の側部に容器の通過を許容する開口部を設けて、収納部と開口部との間で容器を移送するものがある（例えば、特許文献１参照）。
【０００４】
また、従来の別の提案として、自動販売機の前面や側面に容器投入口を開設して、当該容器投入口から投入された容器を圧縮し収納するものがある（例えば、特許文献２参照）。
【０００５】
【特許文献１】
特開２０００−７６５３３号公報
【特許文献２】
特開２００１−２２２７３８号公報
【０００６】
【発明が解決しようとする課題】
上述した従来の自動販売機においては、収納した空容器から出る残留物の処理を行っている。例えば特許文献１では、開口部と収納部との間の供給路の底部において、ドレン孔に向けて容器から流出した内容液を流下する傾斜などが形成してある。また、特許文献２では、空容器からの漏液を蒸発させる液体蒸発手段が設けてある。しかしながら、ドレン孔に向けた傾斜や液体蒸発手段は、空容器からの流出物の付着を防ぐ構成ではなく、特許文献２のごとく消臭手段を設けても臭いの元がなくならないため、利用者が不快感を示すばかりでなく虫をよぶおそれがある。また、容器を移送する移送手段や、容器を圧縮する圧縮手段にも空容器からの流出物が付着するので利用者が不快感を示す原因になる。
【０００７】
また、空容器を投入する開口部や容器投入口は、大人や子供を含めた各利用者の手の届く高さに設ける必要がある。この高さは、一般に自動販売機の中程の高さが好ましい。この場合、通常の自動販売機の内部では、開口部や容器投入口から下側の領域が空容器を収納するための収納領域として使用され、その上側が余り空間になる。上述の特許文献２では、前記余り空間を利用するために容器投入口の上側に空容器を圧縮する機構を設けている。しかしながら、従前販売に供していた下側の領域を収納領域として用いながら、さらに上側の余り空間も収納のために利用するのでは、自動販売機として有効利用していないことになる。
【０００８】
本発明は、上記実情に鑑みて、自動販売機に空容器収納領域を設けて、収納する空容器からの流出物の付着や臭い漏れを防ぐことができ、さらに空容器収納領域以外の空間を自動販売機として有効利用することができる自動販売機を提供することを目的とする。
【０００９】
【課題を解決するための手段】
上記の目的を達成するために、本発明の請求項１に係る自動販売機は、自動販売機本体の内部に設けた空容器収納領域と、前記空容器収納領域と前記自動販売機本体の外部とに通じて空容器を挿通する空容器投入口と、前記空容器投入口を前記空容器収納領域側から開閉可能にしつつ当該空容器投入口を閉鎖する態様で付勢した蓋部と、前記空容器収納領域内において前記空容器を収納する収納袋の開口部を前記空容器投入口の位置に合わせて配置する袋係止部とを備えたことを特徴とする。
【００１０】
また、本発明の請求項２に係る自動販売機は、上記請求項１において、前記空容器収納領域の外形をなす箱体の一部を開口して前記自動販売機本体の外部に通じてなり前記空容器収納領域にある前記空容器を取り出す空容器取出口と、前記自動販売機本体の内部に設けた商品収納領域を開閉する主扉体とは独立して前記空容器取出口を開閉する副扉体と、前記空容器取出口の全開口縁と当該全開口縁に重なる前記副扉体との間に介在した弾性部材とを備えたことを特徴とする。
【００１１】
また、本発明の請求項３に係る自動販売機は、上記請求項１または２において、前記収納袋の底部を支持するトレイと、前記空容器収納領域の底部で前記トレイを載置するとともに当該トレイの載置高さを可変するトレイ受部とを備えたことを特徴とする。
【００１２】
また、本発明の請求項４に係る自動販売機は、上記請求項１〜３のいずれか一つにおいて、前記自動販売機本体の内部であって前記空容器収納領域の上下方向の空間に商品収容部を設けて商品収納領域としたことを特徴とする。
【００１３】
【発明の実施の形態】
以下に添付図面を参照して、本発明に係る自動販売機の好適な実施の形態を詳細に説明する。図１は本実施の形態における自動販売機を示す斜視図、図２は自動販売機の内部構造を示す斜視図である。なお、図１では自動販売機の外形を示し、図２では外扉を無くして内扉を外した状態として自動販売機の内部構成を透過して示している。
【００１４】
本実施の形態における自動販売機は、缶入り飲料やペットボトル入り飲料などの商品を販売するもので、自動販売機本体をなす本体キャビネット１を備えている。本体キャビネット１は、複数の比較的板厚の大きな鋼板を組み合わせることによって構成したもので、前面が外部に通じて開口した直方状をなしている。本体キャビネット１の内部には、商品収納領域２と空容器収納領域２０とが設けてある。
【００１５】
まず、商品収納領域２について説明する。商品収納領域２には、複数の独立した商品収容部としての収容庫４ａ，４ｂ，４ｃ，４ｄが並設してある。収容庫４ａ，４ｂ，４ｃ，４ｄは、外周を断熱材などで覆って商品を所望の温度に維持した状態で収容するためのものである。各収容庫４ａ，４ｂ，４ｃ，４ｄには、コラム状のラック５ａ，５ｂ，５ｃ，５ｄが配置してある。本実施の形態では、１つの収容庫４ｄを他の収容庫４ａ，４ｂ，４ｃよりも高さ方向の下側を短く構成してある。つまり、ラック５ｄが他のラック５ａ，５ｂ，５ｃよりも高さ方向の下側を短くしたショートラックとして構成してある。
【００１６】
各ラック５ａ，５ｂ，５ｃ，５ｄの上部には商品を補充するための補充口６が設けてあり、下部には前面側に向けて下降してあって商品を転動排出するシュータ７が設けてある。また、各収容庫４ａ，４ｂ，４ｃ，４ｄにおいてシュータ７によって区画される下方部には、熱交換器（図示せず）が配設してあり、当該熱交換器の駆動により、ラック５ａ，５ｂ，５ｃ，５ｄに収容した商品を所望の冷却温度、あるいは加熱温度に維持することが可能である。
【００１７】
本体キャビネット１において、商品収納領域２の前面側には主扉体８が設けてある。主扉体８は、本体キャビネット１の前面開口を開閉するためのもので、内扉８Ａおよび外扉８Ｂを備えて構成してある。
【００１８】
内扉８Ａは、本体キャビネット１に設けた収容庫４ａ，４ｂ，４ｃ，４ｄの前面を覆う態様で鋼板によって構成してある。内扉８Ａは、本実施の形態では、ラック５ａ，５ｂ，５ｃ，５ｄの各補充口６の部分を覆う上部内扉８Ａａと、ラック５ａ，５ｂ，５ｃの当該補充口６から下側のシュータ７に至る部分を覆う下部内扉８Ａｂと、ラック５ｄの補充口６から下側のシュータ７に至る部分を覆う下部内扉８Ａｃとからなる。また、各下部内扉８Ａｂ，８Ａｃにおいてシュータ７に対応する部分には、商品排出口９が設けてある。なお、上述したようにラック５ｄがショートラックとして構成してあるため、下部内扉８Ａｃの商品排出口９の位置は、下部内扉８Ａｂの商品排出口９の位置よりも上方に位置することになる。
【００１９】
外扉８Ｂは、本体キャビネット１の前面開口を覆う態様で、内扉８Ａよりも板厚の大きい鋼板によって堅牢に構成してある。外扉８Ｂは、上部内扉８Ａａの前面を覆う上部外扉８Ｂａと、下部内扉８Ａｂの前面を覆う下部外扉８Ｂｂと、下部内扉８Ａｃの前面およびその下側も含めて覆う下部外扉８Ｂｃとからなる。上部外扉８Ｂａ、下部外扉８Ｂｂおよび下部内扉８Ａｃには、その前面にそれぞれディスプレイウィンドウ１０および選択ボタン１１が設けてある。また、下部外扉８Ｂｂおよび下部内扉８Ａｃには、商品払出口１２が設けてある。さらに、下部外扉８Ｂｂの前面側には、硬貨投入口１３、紙幣挿入口１４、一体表示器１５および硬貨返却口１６が設けてある。さらに、下部外扉８Ｂｂの後面側には、図には明示しないが硬貨処理機、硬貨回収箱および紙幣処理機が設けてある。
【００２０】
ディスプレイウィンドウ１０は、収容した商品に応じた商品見本１０ａを利用者に視認させるための窓である。
【００２１】
選択ボタン１１は、利用者が購入商品を選択するための押ボタンスイッチであり、ディスプレイウィンドウ１０を通じて視認される商品見本１０ａ毎に用意してある。
【００２２】
商品払出口１２は、ラック５ａ，５ｂ，５ｃ，５ｄのシュータ７および下部内扉８Ａｂ，８Ａｃの商品排出口９を介して排出された商品を利用者が受け取るための開口である。なお、上述したようにラック５ｄがショートラックとして構成してあるため、下部外扉８Ｂｃの商品払出口１２の位置は、下部外扉８Ｂｂの商品払出口１２の位置よりも上方であって下部外扉８Ｂｃの高さ方向の中ほどに位置することになる。
【００２３】
硬貨投入口１３は、利用者が硬貨を投入するための開口である。この硬貨投入口１３を通じて投入された硬貨は、硬貨処理機においてその金種が識別され、その後、硬貨回収箱に収容されることになる。
【００２４】
紙幣挿入口１４は、利用者が紙幣を挿入するための開口である。この紙幣挿入口１４を通じて挿入された紙幣は、紙幣処理機においてその金種が識別されることになる。また上記紙幣挿入口１４は、紙幣処理機において識別できなかった紙幣を返却するための機能も有している。
【００２５】
一体表示器１５は、貨幣の投入金額、販売中であるか否か、釣り銭があるか否かなど、各種情報を利用者に表示するためのものである。硬貨返却口１６は、硬貨処理機において識別できなかった硬貨、あるいは釣り銭となる硬貨を利用者に返却するための開口である。
【００２６】
上記構成とした自動販売機は、上部外扉８Ｂａおよび上部内扉８Ａａを開放して各補充口６からラック５ａ，５ｂ，５ｃ，５ｄに商品を充填した後、主扉体８をすべて閉塞した状態で販売に供される。この状態から、硬貨投入口１３や紙幣挿入口１４を通じて利用者が貨幣を投入し、さらに選択ボタン１１を押圧操作すると、所望とする商品が商品払出口１２に払い出される。投入貨幣に対して商品の金額が大きい場合には、硬貨返却口１６を通じて釣り銭が利用者に返却されることになる。また、上部外扉８Ｂａおよび下部外扉８Ｂｃは、商品見本１０ａの交換あるいは商品見本１０ａ（収容した商品）に応じた冷温表示の切り替えなどに際して開放する。さらに、下部外扉８Ｂｂは、商品見本１０ａの交換、商品見本１０ａ（収容した商品）に応じた冷温表示の切り替え、あるいは硬貨回収箱や紙幣処理機などからの貨幣の集金などに際して開放する。
【００２７】
次に、空容器収納領域２０について説明する。空容器収納領域２０は、商品収納領域２に設けた１つのラック５ｄを、他のラック５ａ，５ｂ，５ｃよりも高さ方向に短くしたショートラックとして構成することによって、当該ショートラック５ｄの下側の空間である。本実施の形態での空容器収納領域２０は、図２に示すように自動販売機本体としての本体キャビネット１の左下側の領域である。
【００２８】
空容器収納領域２０には、空容器収納部が構成してある。図３は空容器収納部を示す斜視図、図４は空容器収納部を示す正面図、図５（ａ）および（ｂ）は袋係止部を示す斜視図、図６は空容器収納部を示す側面図、図７はトレイ受部の別の状態を示す空容器収納部の側面図である。
【００２９】
空容器収納部は、収納箱２１を基部としている。収納箱２１は、空容器収納領域２０の外形をなす直方状の箱体である。収納箱２１は、板金の折り曲げによって形成されて継ぎ目部分がシールされており、その一部が開口した空容器取出口２１ａを有している。空容器取出口２１ａは、自動販売機本体をなす本体キャビネット１の前面外部に通じている。なお、収納箱２１は、合成樹脂材などで一体成形すれば継ぎ目のシールは必要ない。この収納箱２１には、副扉体２２、空容器投入口２３、袋係止部２４、トレイ２５、トレイ受部２６が設けてある。
【００３０】
図１および図３に示すように副扉体２２は、収納箱２１の開口を開閉するものである。副扉体２２は、上述した本体キャビネット１の前面開口であって商品収納領域２を開閉する下部外扉８Ｂｃの下側に開口した部分に設けてある。この副扉体２２は、下部外扉８Ｂｃと互いに独立して開閉する。副扉体２２は、その一側が図示しないヒンジを介して収納箱２１の空容器取出口２１ａに対して揺動可能に取り付けてある。副扉体２２の内面は、空容器取出口２１ａの全開口縁に重なる態様としてある。
【００３１】
図３および図４に示すように空容器取出口２１ａの全開口縁には、副扉体２２の内面と面接触し得るフランジ部２１ｂが形成してある。このフランジ部２１ｂの前面には、クッション２７が設けてある。クッション２７は、軟質発泡材などの弾性部材からなる。すなわち、収納箱２１における空容器取出口２１ａの全開口縁に設けたフランジ部２１ｂと、当該フランジ部２１ｂに重なる副扉体２２の内面との間にクッション２７が介在される。この結果、副扉体２２を閉塞した状態において収納箱２１が密閉されることになる。なお、収納箱２１と副扉体２２との間には図示しない係止機構が設けてあって副扉体２２が収納箱２１の空容器取出口２１ａを閉塞した状態が保持できるように構成してある。
【００３２】
図３に示すように空容器投入口２３は、副扉体２２に設けてある。空容器投入口２３は、販売に供する商品（飲料缶、ペットボトルなど）の挿通を許容する内径を有して開口してある。この空容器投入口２３に係る副扉体２２の内面には、蓋部２８が設けてある。蓋部２８は、空容器投入口２３を十分に覆う大きさとした板体である。また、蓋部２８は、副扉体２２の内面においてヒンジ部２８ａにて副扉体２２の内側、つまり収納箱２１の内側に揺動可能にして設けてある。これにより、空容器投入口２３が蓋部２８によって開閉可能となる。また、蓋部２８は、ヒンジ部２８ａに設けた図示しないバネ部材などによって副扉体２２の内側から空容器投入口２３を閉塞する態様で常に付勢してある。
【００３３】
図３〜図６に示すように袋係止部２４は、収納箱２１における空容器取出口２１ａの開口上部に設けてある。袋係止部２４は、１対の環状枠２９，３０と、支持部３１と、取付部３２とを有している。
【００３４】
各環状枠２９，３０は、互いに重合して係合し得る環状体として形成してある。図５（ａ）および（ｂ）に示すように一方の環状枠２９には支軸２９ａが設けてあり、他方の環状枠３０には軸受３０ａが設けてある。一方の環状枠２９は、支軸２９ａを軸受３０ａに挿通することによって他方の環状枠３０に対して揺動可能に支承してある。また、他方の環状枠３０には一方の環状枠２９の支軸２９ａに平行する支軸３０ｂが設けてある。他方の環状枠３０は、支軸３０ｂを支持部３１に設けた軸受３１ａに挿通することによって当該支持部３１に対して揺動可能に支承してある。
【００３５】
一方の環状枠２９と他方の環状枠３０との係合は、他方の環状枠３０に設けた係合爪片３０ｃによる。そして、係合爪片３０ｃを撓ませると一方の環状枠２９が他方の環状枠３０から離脱する。すなわち、一方の環状枠２９は、他方の環状枠３０に対して揺動可能であって他方の環状枠３０に対して係脱可能であり、他方の環状枠３０に係合した状態では、当該他方の環状枠３０とともに支持部３１に対して揺動可能となる。
【００３６】
図３および図６に示すように取付部３２は、収納箱２１における空容器取出口２１ａの開口上部に固定してある。この取付部３２には、支持部３１が取り付けてある。これにより上記各環状枠２９，３０が環状部分を空容器取出口２１ａの開口方向に向けて収納箱２１に取り付けられる。
【００３７】
上記環状枠２９，３０には、収納袋３３が保持される。図５（ａ）に示す状態で他方の環状枠３０の内側（図５中の左側）から収納袋３３の開口部を通し、当該開口部を折り返す態様で他方の環状枠３０の周りに掛ける。そして、一方の環状枠２９を他方の環状枠３０に係合することにより、各環状枠２９，３０の間で収納袋３３の開口部を挟持するとともに、各環状枠２９，３０の環状部分が収納袋３３の開口部から収納袋３３内に連通する形態となる。このようにして袋係止部２４は、収納袋３３の開口部を維持した形態で当該収納袋３３を収納箱２１内で保持する。また、収納袋３３は、環状枠２９，３０を離間することにより収納箱２１の空容器取出口２１ａから取り出すことができる。
【００３８】
また、上記袋係止部２４の各環状枠２９，３０の環状部分は、副扉体２２に設けた蓋部２８よりも大きく形成してある。この環状部分は、副扉体２２を閉じた状態で当該副扉体２２の内面に当接して、蓋部２８および空容器投入口２３を収める態様で構成してある。すなわち、空容器投入口２３は、収納箱２１内において収納袋３３の開口部に重なり合って連通することになる。
【００３９】
ここで、図６に示すように環状枠３０には、収納箱２１の奥方に向いて延在するフランジ片３０ｄが設けてある。フランジ片３０ｄは、取付部３２に当接することによって収納箱２１の奥方への環状枠３０の揺動範囲を規制する。これにより、副扉体２２を閉じた状態において、環状枠２９，３０が副扉体２２の内面で押されて収納箱２１の奥方に向けて揺動するが、当該揺動をフランジ片３０ｄが規制する。この結果、収納袋３３を保持する各環状枠２９，３０の環状部分が副扉体２２の内面に確実に当接して、空容器投入口２３と収納袋３３の開口部とを確実に連通することができる。
【００４０】
図３、図４および図６に示すようにトレイ２５は、上方に開口する皿形をなしている。このトレイ２５は、空容器収納領域２０の外形をなす収納箱２１の底部において、袋係止部２４によって保持した収納袋３３の底部を支持する。
【００４１】
図４、図６および図７に示すようにトレイ受部２６は、空容器収納領域２０の外形をなす収納箱２１の底部に載置してあり、その上にトレイ２５を載置する。
トレイ受部２６は、収納箱２１の底部に収まるべき直方状の箱体をなし、その上下方向の一方が開口して形成してある。図４および図６においては下側が開口している。これにより、図４および図６に示すようにトレイ受部２６の上に載置したトレイ２５は、トレイ受部２６の高さの分上がった位置に載置されることになる。一方、図７に示すようにトレイ受部２６を上下反転することで、トレイ受部２６の上に載置したトレイ２５は、トレイ受部２６の高さを受けずに図６よりも下がった位置に載置されることになる。このように、トレイ受部２６は、トレイ２５の載置高さを可変している。
【００４２】
なお、図３および図４に示すように収納箱２１の底部前面側には、トレイ受部２６の高さと略同じ高さの前板２１ｃが設けてある。前板２１ｃの上端には、上述したフランジ部２１ｂが設けてある。この前板２１ｃは、トレイ受部２６を隠蔽する。また、トレイ受部２６の高さおよび前板２１ｃの高さは、下部外扉８Ｂｃにおいて副扉体２２を設けるための開口の下枠の高さと略同じである。
【００４３】
上述した空容器収納部によれば、収納箱２１において自動販売機本体としての本体キャビネット１の外部に通じる空容器取出口２１ａが、副扉体２２で開閉可能としてあり、当該副扉体２２で空容器取出口２１ａを閉塞した状態では、クッション２７によって収納箱２１が密閉される。また、副扉体２２には、空容器を投入する空容器投入口２３が設けてあり、当該空容器投入口２３は蓋部２８で閉塞される。これにより、収納箱２１は、空容器を空容器投入口２３より投入するとき、あるいは当該収納箱２１内の空容器を回収するとき意外は密閉した状態にあるため、臭い漏れを防ぐことができる。
【００４４】
副扉体２２は、主扉体８の下部外扉８Ｂｃとは独立して開閉する。これにより、空容器を回収するときには、必要のない下部外扉８Ｂｃ内のラック５ｄの部分を開けることがない。また、商品見本１０ａの交換あるいは商品見本１０ａ（収容した商品）に応じた冷温表示の切り替えなどをするときには、必要のない副扉体２２内の収納箱２１を開けることがない。
【００４５】
収納箱２１には、収納袋３３の開口部を空容器投入口２３に合わせて配置する袋係止部２４が設けてあり、空容器投入口２３と収納袋３３の開口部とを連通する。このため、空容器投入口２３から投入された空容器が直接収納袋３３内に投入されて、空容器からの流出物が全て収納袋３３内に収まるので、収納箱２１内への流出物の付着を防ぐことができる。上記袋係止部２４は、１対の環状枠２９，３０の重合によって収納袋３３の開口部を挟持するので、収納袋３３の着脱が容易であり、空容器が投入された収納袋３３を回収するときにも、回収者への流出物の付着が防止できる。
【００４６】
収納箱２１の底部には、収納袋３３の底部を支持するトレイ２５が設けてある。これにより、万一収納袋３３が破けた場合でもトレイ２５によって投入した空容器や流出物が収納箱２１内に散乱することを防止できる。
【００４７】
トレイ２５は、トレイ受部２６に載置してある。トレイ受部２６は、トレイ２５の高さ位置を収納箱２１の底部よりも高い位置にする。さらに、上述したようにトレイ受部２６の高さは、下部外扉８Ｂｃにおいて副扉体２２を設けるための開口の下枠の高さと略同じである。これにより、副扉体２２を開放して空容器が投入された収納袋３３を回収するとき、当該収納袋３３の底部が閉鎖してある下部外扉８Ｂｃの下枠に引っかかることが防止できる。また、トレイ受部２６を上下反転すればトレイ２５の載置高さが下がる。これにより、空容器の収納数を増やすことができる。
【００４８】
上述した空容器収納部は、自動販売機本体としての本体キャビネット１の下側の空容器収納領域２０に設けてあり、当該当該空容器収納領域２０の上方の空間は、ショートラックとしたラック５ｄが配置された商品収納領域２としている。
これにより、空容器収納領域以外の空間を自動販売機として有効利用することができる。また、空容器収納領域２０の上方の商品収納領域２において、ラック５ｄがショートラックとしてあることにより、空容器収納部の上側にて商品払出口１２が配置されるので、商品の取出しが容易である。
【００４９】
【発明の効果】
以上説明したように、本発明の請求項１に係る自動販売機によれば、空容器収納領域内において収納袋の開口部を前記空容器投入口の位置に合わせて配置してある。これにより、空容器投入口と収納袋の開口部とが連通するため、空容器投入口から投入された空容器が直接収納袋内に投入されて、空容器からの流出物が全て収納袋内に収まるので、空容器収納領域内への流出物の付着を防ぐことができる。さらに、自動販売機本体の外部から空容器を投入する空容器投入口が付勢された蓋部によって閉鎖してある。これにより、収納袋からの臭い漏れを防ぐことができる。
【００５０】
本発明の請求項２に係る自動販売機によれば、空容器収納領域の外形をなす箱体の一部を自動販売機本体の外部に通じて開口することで空容器収納領域にある空容器を取り出す空容器取出口を設け、当該空容器取出口を開閉する副扉体を設けた。そして、空容器取出口の全開口縁と当該全開口縁に重なる副扉体との間に弾性部材を介在してある。これにより、箱体内が密閉されて箱体から外部への臭い漏れを防ぐことができる。さらに、副扉体は、自動販売機本体の内部に設けた商品収納領域を開閉する主扉体とは独立して開閉する。これにより、副扉体を開ける用途と主扉体を開ける用途とで、互いの扉体を開けることがない。特に、主扉体を開けるときに副扉体を開けることがないので、主扉体を開けたときの箱体からの臭い漏れを防ぐことができる。
【００５１】
本発明の請求項３に係る自動販売機によれば、収納袋の底部を支持するトレイを備えた。これにより、万一収納袋が破けた場合でも投入した空容器や流出物が空容器収納領域内に散乱することを防止できる。さらに、空容器収納領域の底部でトレイを載置するとともにトレイの載置高さを可変するトレイ受部を備えた。
これにより、トレイの載置高さを上げれば、空容器が投入された収納袋を回収するときに、収納袋の底部が自動販売機本体の下部の構成に引っかかることを防止できる。また、トレイの載置高さを下げれば空容器の収納数を増やすことができる。
【００５２】
本発明の請求項４に係る自動販売機によれば、自動販売機本体の内部であって空容器収納領域の上下方向の空間に商品収容部を設けて商品収納領域とした。これにより、空容器収納領域以外の空間を自動販売機として有効利用することができる。
【図面の簡単な説明】
【図１】本実施の形態における自動販売機を示す斜視図である。
【図２】自動販売機の内部構造を示す斜視図である。
【図３】空容器収納部を示す斜視図である。
【図４】空容器収納部を示す正面図である。
【図５】（ａ）および（ｂ）は袋係止部を示す斜視図である。
【図６】空容器収納部を示す側面図である。
【図７】トレイ受部の別の状態を示す空容器収納部の側面図である。
【符号の説明】
１    本体キャビネット
２    商品収納領域
４ａ，４ｂ，４ｃ，４ｄ    収容庫
５ａ，５ｂ，５ｃ，５ｄ    ラック
６    補充口
７    シュータ
８    主扉体
８Ａ    内扉
８Ａａ    上部内扉
８Ａｂ    下部内扉
８Ａｃ    下部内扉
８Ｂ    外扉
８Ｂａ    上部外扉
８Ｂｂ    下部外扉
８Ｂｃ    下部外扉
９    商品排出口
１０    ディスプレイウィンドウ
１０ａ    商品見本
１１    選択ボタン
１２    商品払出口
１３    硬貨投入口
１４    紙幣挿入口
１５    一体表示器
１６    硬貨返却口
２０    空容器収納領域
２１    収納箱
２１ａ    空容器取出口
２１ｂ    フランジ部
２１ｃ    前板
２２    副扉体
２３    空容器投入口
２４    袋係止部
２５    トレイ
２６    トレイ受部
２７    クッション
２８    蓋部
２８ａ    ヒンジ部
２９，３０    環状枠
２９ａ    支軸
３０ａ    軸受
３０ｂ    支軸
３０ｃ    係合爪片
３０ｄ    フランジ片
３１    支持部
３１ａ    軸受
３２    取付部
３３    収納袋
【図１】
2004310300.tif 000003
【図２】
2004310300.tif 000004
【図３】
2004310300.tif 000005
【図４】
2004310300.tif 000006
【図５】
2004310300.tif 000007
【図６】
2004310300.tif 000008
【図７】
2004310300.tif 000009